(57)【要約】【課題】冷蔵庫のデザインと、人間のイメージや感性とを結びつけるデザイン支援システムを提供する。【解決手段】第３の記憶手段３３に、冷蔵庫のデザイン要素毎から受ける感性の影響度を感性ワード毎に数値化した情報を記憶し、入力手段７により感性を表す形容詞と感性ワード優先度を入力することにより、演算装置１により形容詞を感性ワードに変換し、感性の影響度と感性ワード優先度から各デザイン要素のデザイン候補優先度を演算し、デザイン候補優先度の高いデザイン要素を組み合わせて表示することにより、感性ワードの優先順位を設定できる冷蔵庫のデザイン支援システムを提供できる。【選択図】  図１
2004295619.tif 000002
【特許請求の範囲】
【請求項１】
使用者が感性またはイメージを表す言葉とその言葉の優先度と外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段とを備え、さらに、入力手段から入力された人間が持っている感性やイメージを具現化した形容詞を対応する感性ワードに変換し、前記第３の記憶手段から前記感性ワードに影響度の高いアイテム毎のカテゴリーと影響度を出力する感性ワード変換手段と、前記感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な画像に変換する画像処理手段とを備えたイメージ変換装置において、前記入力手段によりターゲットの世代を入力し、前記第３の記憶手段に各世代における感性ワード毎の感性やイメージの影響度を数値化した情報を記憶させ、さらに、前記感性ワード変換手段により、前記第３の記憶手段から前記感性ワードに影響度の高いアイテム毎のカテゴリーと影響度の情報を出力する際に、この影響度の情報は、入力手段により入力された世代の情報を選択して出力することを特徴としたイメージ変換装置。
【請求項２】
前記入力手段により所定の販売国を入力し、第３の記憶手段に各国における感性ワード毎の感性やイメージの影響度を数値化した情報を記憶させ、さらに、感性ワード変換手段により、第３の記憶手段から前記感性ワードに影響度の高いアイテム毎のカテゴリーと影響度の情報を出力する際に、この影響度の情報は、入力手段により入力された国の情報を選択して出力することを特徴とした請求項１に記載のイメージ変換装置。
【請求項３】
使用者が感性またはイメージを表す言葉とその言葉の優先度と冷蔵庫の外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段とを備え、さらに、入力手段から入力された人間が持っている感性やイメージを具現化した形容詞を対応する感性ワードに変換し、前記第３の記憶手段から前記感性ワードに影響度の高いアイテム毎のカテゴリーと影響度を出力する感性ワード変換手段と、前記感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な冷蔵庫の画像に変換する画像処理手段とを備えたイメージ変換装置。
【請求項４】
少なくとも使用者が感性やイメージを表す言葉に加えて、冷蔵庫のサイズを入力できる入力手段と、冷蔵庫サイズとアイテム、及びカテゴリーとの対応を記憶する第５の記憶手段とを備え、演算手段は、前記第５の記憶手段の情報により、所定のアイテムについては、感性ワード変換手段が出力したアイテム毎のカテゴリーの影響度に関わらず、入力手段により入力されたサイズに応じて、所定カテゴリーを選択することを特徴とした請求項３に記載のイメージ変換装置。
【請求項５】
入力手段により、少なくとも使用者が感性やイメージを表す言葉に加えて冷蔵庫の容量を入力し、第５の記憶手段に冷蔵庫の容量とアイテム及びカテゴリーとの対応を記憶させ、さらに、演算手段は、第５の記憶手段の情報により、所定のアイテムについては感性ワード変換手段が出力したアイテム毎のカテゴリーの影響度に関わらず、入力手段により入力されたサイズに応じて、所定のカテゴリーを選択することを特徴とした請求項３または４に記載のイメージ変換装置。
【請求項６】
請求項１から５のいずれかのイメージ変換装置を用いたイメージ変換方法。
【発明の詳細な説明】
【０００１】
【発明の属する技術分野】
本発明は、工業製品の設計支援や顧客に対するコンサルテーション等に用いるイメージ変換装置、及びイメージ変換方法に関するものである。
【０００２】
【従来の技術】
近年、家電製品や住宅設備関連の商品デザインは、多様化する消費者のニーズに応じて数多くのデザインの商品が生産されるようになった。
【０００３】
これらの消費者の要望に応じるために、製造メーカーは、新製品のデザインが消費者にどのようなイメージで受け入れられるか、または、個別のイメージを、商品のデザインや仕様にどのように具体化するか等を、判断できる手段の必要性が生じてきた。
【０００４】
このような時代の要望にこたえるために、人間の持っている感性やイメージを物理的なデザインや仕様に翻訳し、感性にあった商品を設計し、実現する技術として「感性工学」が注目されている。この感性工学に基づくエキスパートシステムは、顧客コンサルテーションシステム、商品開発支援システムの二つに大きく分類されている。前者は、顧客の商品イメージに関する漠然としたイメージに対して具体的な商品デザインを提示するものである。
【０００５】
後者は、商品開発担当者が新たにデザインした商品に対して、消費者にどのようなイメージで受け入れられるかを提示するシステムである。また、これら両者の双方向の要望に応じて、新たな商品デザインからイメージを、逆に、イメージからそのイメージにふさわしいデザインの商品を相互に選択できるデザイン支援システムが注目されている。
【０００６】
従来のイメージ変換装置としては、ドアデザインと、人間のイメージや感性とを感性工学に基づいて結びつけることによって、イメージを入力するとドアの外観デザインを提示するものがある（例えば、特許文献１参照。）。
【０００７】
以下、図面を参照しながら上記従来のイメージ変換装置を説明する。
【０００８】
図６は、従来のイメージ変換装置のフロー図である。図６に示すように、従来のイメージ変換装置は、演算処理装置１と、記憶装置３と、表示手段５と、入力手段７とから構成されている。演算処理装置１は、感性ワード演算手段１１と、推論演算部１３を内蔵している。記憶装置３は、感性ワードＤＢ２１と、イメージＤＢ２３と、基本デザインＤＢ２５、パーツＤＢ２７と、グラフィックルールＤＢ２９を内蔵している。
【０００９】
まず、使用者が入力手段７により、感性やイメージの言葉を入力すると、感性ワード処理演算手段１１に入力され、感性ワードＤＢ２１内のルールを参照しながら基本感性ワードに変換する。
【００１０】
次に、推論演算部１３では、感性ワードＤＢから出力された基本感性ワードに対して、イメージＤＢ２３と、基本デザインＤＢ２５に記憶されているルールを適応することで、具体的なデザインを推論する。
【００１１】
【特許文献１】
特開平６−１０３３４７号公報
【００１２】
【発明が解決しようとする課題】
しかしながら、上記従来の構成では、感性ワードＤＢ２１、イメージＤＢ２３、基本デザインＤＢ２５に記憶されている情報は、ドアの外観について調査された情報が記憶されているのみであるので、冷蔵庫のデザイン支援に活用できないという問題があった。
【００１３】
本発明は従来の課題を解決するもので、冷蔵庫のデザイン支援に活用できる冷蔵庫イメージ変換装置及びイメージ変換方法を提供することを目的とする。
【００１４】
また、上記従来の構成は、イメージＤＢ２３、基本デザインＤＢ２５に記憶されている情報は、顧客の世代ごとに分類された情報ではないので、世代ごとによる感性の違いが反映されていない。そのため、感性ワードを入力して提示されたデザインが、顧客の感性とずれてしまうことがあるという問題があった。本発明の他の目的は、世代ごとの感性の違いに対応したデザインを提示できる冷蔵庫イメージ変換装置及びイメージ変換方法を提供することを目的とする。
【００１５】
さらに、上記従来の構成は、イメージＤＢ２３、基本デザインＤＢ２５に記憶されている情報は、国毎に分類された情報ではないので、国民性による感性の違いが反映されていない。そのため、感性ワードを入力して提示されたデザインが、顧客の感性とずれてしまうことがあるという問題があった。本発明の他の目的は、国民性の感性の違いに対応したデザインを提示できる冷蔵庫イメージ変換装置及びイメージ変換方法を提供することを目的とする。
【００１６】
また、さらに、上記従来の構成は、使用者が入力手段７により、感性やイメージの言葉を入力すると、感性ワード処理演算手段１１に入力され、感性ワードＤＢ２１内のルールを参照しながら基本感性ワードに変換し、推論演算部１３で、感性ワードＤＢから出力された基本感性ワードに対して、イメージＤＢ２３と、基本デザインＤＢ２５に記憶されているルールを適応して、具体的なデザインを推論する構成であるので、目的の冷蔵庫の寸法以外の寸法の外観デザインが表示されることもあり、目的の冷蔵庫イメージとかけ離れてしまう可能性があるという問題があった。
【００１７】
本発明の他の目的は、目的の寸法条件の中で、目的とする感性のデザインを提示できる冷蔵庫イメージ変換装置及びイメージ変換方法を提供することを目的とする。
【００１８】
また、上記従来の構成は、使用者が入力手段７により、感性やイメージの言葉を入力すると、感性ワード処理演算手段１１に入力され、感性ワードＤＢ２１内のルールを参照しながら基本感性ワードに変換し、推論演算部１３で、感性ワードＤＢから出力された基本感性ワードに対して、イメージＤＢ２３と、基本デザインＤＢ２５に記憶されているルールを適応して、具体的なデザインを推論する構成であるので、目的の冷蔵庫の内容量以外の内容量の外観デザインが表示されることもあり、目的の冷蔵庫イメージとかけ離れてしまう可能性があるという問題があった。
【００１９】
本発明の他の目的は、目的の寸法条件の中で、目的とする感性のデザインを提示できる冷蔵庫イメージ変換装置及びイメージ変換方法を提供することを目的とする。
【００２０】
【課題を解決するための手段】
本発明の請求項１に記載の発明は、使用者が感性またはイメージを表す言葉とその言葉の優先度と外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段を備え、さらに、入力手段から入力された人間が持っている感性やイメージを具現化した形容詞を対応する感性ワードに変換し、第３の記憶手段から前記感性ワードに影響度の高いアイテム毎のカテゴリーと影響度を出力する感性ワード変換手段と、感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な画像に変換する画像処理手段とを備えたイメージ変換装置において、前記入力手段によりターゲットの世代を入力できることを特徴とし、第３の記憶手段に各世代における感性ワード毎の感性やイメージの影響度を数値化した情報を記憶させたことを特徴とし、さらに、感性ワード変換手段により、第３の記憶手段から前記感性ワードに影響度の高いアイテム毎のカテゴリーと影響度の情報を出力する際に、入力手段により入力された世代の情報を選択して出力するので、データベースを基にして、感性や、イメージを表す言葉から具体的な形に変換することができる。
【００２１】
請求項２に記載の発明は、請求項１に記載の発明に、前記入力手段により所定の販売国を入力することを特徴とし、第３の記憶手段に各国における感性ワード毎の感性やイメージの影響度を数値化した情報を記憶しておくことを特徴とし、さらに、感性ワード変換手段により、第３の記憶手段から前記感性ワードに影響度の高いアイテム毎のカテゴリーと影響度の情報を出力する際に、この影響度の情報は、入力手段により入力された国の情報を選択して出力するので、販売国の国民の感性にあったデザイン候補を表示することができるという作用を有する。
【００２２】
請求項３に記載の発明は、使用者が感性またはイメージを表す言葉とその言葉の優先度と冷蔵庫の外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段を備え、さらに、入力手段から入力された人間が持っている感性やイメージを具現化した形容詞を対応する感性ワードに変換し、第３の記憶手段から前記感性ワードに影響度の高いアイテム毎のカテゴリーと影響度を出力する感性ワード変換手段と、感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な冷蔵庫の画像に変換する画像処理手段とを備えたものであり、入力した使用者の感性にあったデザイン候補を表示できるという作用を有する。
【００２３】
請求項４に記載の発明は、請求項３に記載の発明に、少なくとも使用者が感性やイメージを表す言葉に加えて、冷蔵庫のサイズを入力できる入力手段と、冷蔵庫サイズとアイテム、及びカテゴリーとの対応を記憶する第５の記憶手段を備え、演算手段は、第５の記憶手段の情報により、所定のアイテムについては、感性ワード変換手段が出力したアイテム毎のカテゴリーの影響度に関わらず、入力手段により入力されたサイズに応じて、所定カテゴリーを選択するので、データベースを基にして感性やイメージを表す言葉から冷蔵庫の具体的な形に変換することができるのに加えて、入力したサイズの条件における所望の感性にあった冷蔵庫デザインを表示できるという作用を有する。
【００２４】
請求項５に記載の発明は、請求項３または４に記載の発明に、入力手段により、少なくとも使用者が感性やイメージを表す言葉に加えて冷蔵庫の容量を入力できることを特徴とし、第５の記憶手段に冷蔵庫の容量とアイテム及びカテゴリーとの対応を記憶させ、さらに、演算手段は、第５の記憶手段の情報により、所定のアイテムについては感性ワード変換手段が出力したアイテム毎のカテゴリーの影響度に関わらず、入力手段により入力されたサイズに応じて、所定のカテゴリーを選択するもので、入力した容量の条件における所望の感性にあった冷蔵庫デザインが表示されるという作用を有する。
【００２５】
請求項６に記載の発明は、請求項１から５のいずれかを用いたイメージ変換方法であり、データベースを基に、感性やイメージを表す言葉から具体的な形に変換できる方法を有する。
【００２６】
【発明の実施の形態】
以下、本発明による冷蔵庫イメージ変換装置の実施の形態について、図面を参照しながら説明する。なお、従来と同一構成については、同一符号を付して詳細な説明を省略する。
【００２７】
（実施の形態１）
図１は、本発明の実施の形態１による冷蔵庫イメージ変換装置のフロー図である。
【００２８】
図１に示すように、使用者が感性、またはイメージを表す言葉と、その言葉の優先度と、さらにターゲットの世代を入力する入力手段７を備えている。
【００２９】
また、記憶装置３は、冷蔵庫の外観を構成するデザイン要素毎に種類分けした情報を複数のアイテムとして記憶する第１の記憶手段３１と、前記アイテム毎に形状や色彩等を場合分けした情報を複数のカテゴリーとして記憶する第２の記憶手段３２と、前記それぞれのアイテムのカテゴリー毎から受ける感性やイメージの影響度を実験により調査し、感性ワード毎に数値化した情報を記憶する第３の記憶手段３３を備えている。第３の記憶手段３３に記憶されている各アイテムのカテゴリー毎から受ける感性やイメージの影響度の感性ワード毎に数値化した情報を、世代毎のデータとする。
【００３０】
演算処理装置１は、入力手段７から入力された人間が持っている感性やイメージを具現化した形容詞を対応する感性ワードに変換し、第３の記憶手段３３から前記感性ワードに影響度の高いアイテム毎のカテゴリーと影響度を出力する感性ワード変換手段４１と、感性ワード変換手段４１が選択したアイテム毎のカテゴリーを影響度と感性ワードの優先度から入力した感性により各アイテムのカテゴリー毎のデザイン候補優先度を演算する演算手段４２と、デザイン候補優先度の高いアイテム毎のカテゴリーを組み合わせて具体的な冷蔵庫の画像に変換する画像処理手段１５とを備えている。
【００３１】
以上のように構成された冷蔵庫イメージ変換装置について、以下その動作について説明する。
【００３２】
まず、入力手段７により、使用者が感性、またはイメージを表す言葉と、その言葉の優先度を入力する。さらに、ターゲットの世代を入力する。
【００３３】
すると、感性ワード変換手段４１により、入力手段７から入力された人間が持っている感性やイメージを具現化した形容詞を対応する感性ワードに変換し、第３の記憶手段３３から前記感性ワードに影響度の高いアイテム毎のカテゴリーと影響度の情報を出力する。なお、この影響度の情報は、入力手段７により入力された世代の情報を選択して出力する。
【００３４】
次に、演算手段４２により、感性ワード変換手段４１が出力したアイテム毎のカテゴリーの影響度と、入力手段７により入力された感性ワード優先度を用いて各アイテムのカテゴリー毎のデザイン候補優先度を演算する。さらに、画像処理手段１５により、デザイン候補優先度の高いアイテム毎のカテゴリーを組み合わせて具体的な冷蔵庫の画像に変換する。
【００３５】
これにより、データベースを基にして、感性や、イメージを表す言葉から冷蔵庫の具体的な形に変換することができる。さらに、感性ワードの優先度を考慮した冷蔵庫の画像に変換することができる。加えて、入力したターゲットの世代の感性にあったデザインが表示される。
【００３６】
また、ここでは、入力手段７により、使用者が感性、またはイメージを表す言葉と、その言葉の優先度に加えて、ターゲットの世代を入力する仕様としたが、ターゲットの世代でなく、冷蔵庫の販売国を入力する仕様とし、第３の記憶手段３３に記憶されている各アイテムのカテゴリー毎から受ける感性やイメージの影響度の感性ワード毎に数値化した情報を、国毎の情報とする。さらに、感性ワード変換手段４１により、第３の記憶手段３３から前記感性ワードに影響度の高いアイテム毎のカテゴリーと影響度の情報を出力する際に、この影響度の情報は、入力手段７により入力された国名の情報を選択して出力する。
【００３７】
これにより、販売国の国民の感性にあった冷蔵庫のデザイン候補を表示することができる。
【００３８】
以上のように本実施の形態の冷蔵庫イメージ変換装置は、使用者が感性またはイメージを表す言葉とその言葉の優先度と、さらにターゲットの世代を入力する入力手段７と、冷蔵庫の外観を構成するデザイン要素毎に種類分けした情報を複数のアイテムとして記憶する第１の記憶手段３１と、前記アイテム毎に形状や色彩等を場合分けした情報を複数のカテゴリーとして記憶する第２の記憶手段３２と、前記それぞれのアイテムのカテゴリー毎から受ける感性やイメージの影響度を実験により調査し、感性ワード毎に数値化した情報を記憶する第３の記憶手段３３を備え、第３の記憶手段３３に記憶されている各アイテムのカテゴリー毎から受ける感性やイメージの影響度の感性ワード毎に数値化した情報を、世代毎のデータとすることを特徴としている。
【００３９】
さらに、入力手段７から入力された人間が持っている感性やイメージを具現化した形容詞を対応する感性ワードに変換し、第３の記憶手段３３から前記感性ワードに影響度の高いアイテム毎のカテゴリーと影響度を出力する感性ワード変換手段４１と、感性ワード変換手段４１が選択したアイテム毎のカテゴリーを影響度と感性ワードの優先度から入力した感性により各アイテムのカテゴリー毎のデザイン候補優先度を演算する演算手段４２と、デザイン候補優先度の高いアイテム毎のカテゴリーを組み合わせて具体的な冷蔵庫の画像に変換する画像処理手段１５とを備えたので、データベースを基にして、感性や、イメージを表す言葉から冷蔵庫の具体的な形に変換することができる。
【００４０】
さらに、感性ワードの優先度を考慮した冷蔵庫の画像に変換することができる。加えて、入力したターゲットの世代の感性にあったデザインが表示される。
【００４１】
また、ターゲットの世代でなく、冷蔵庫の販売国を入力する仕様とし、第３の記憶手段３３に記憶されている各アイテムのカテゴリー毎から受ける感性やイメージの影響度の感性ワード毎に数値化した情報を、国毎の情報とする。
【００４２】
さらに、感性ワード変換手段４１により、第３の記憶手段３３から前記感性ワードに影響度の高いアイテム毎のカテゴリーと影響度の情報を出力する際に、この影響度の情報は、入力手段７により入力された国名の情報を選択して出力することにより、販売国の国民の感性にあった冷蔵庫のデザイン候補を表示することができる。
【００４３】
（実施の形態２）
図５は、本発明の実施の形態１による冷蔵庫イメージ変換装置のフロー図である。
【００４４】
図５に示すように、使用者が感性、またはイメージを表す言葉に加えて、冷蔵庫のサイズを入力する入力手段７を備えている。
【００４５】
また、記憶装置３は、冷蔵庫サイズとアイテム、及びカテゴリーとの対応を記憶する第５の記憶手段を備える。
【００４６】
また、演算処理装置１の演算手段４２は、第５の記憶手段３５の情報により、所定のアイテムについては、感性ワード変換手段４１が出力したアイテム毎のカテゴリーの影響度に関わらず、入力手段７により入力されたサイズに応じて、所定カテゴリーを選択することを特徴とする。
【００４７】
以上のように構成された冷蔵庫イメージ変換装置について、以下その動作について説明する。
【００４８】
まず、入力手段７により、使用者が、少なくとも感性、またはイメージを表す言葉を入力し、さらに、冷蔵庫のサイズを入力する。
【００４９】
すると、感性ワード変換手段４１により、入力手段７から入力された人間が持っている感性やイメージを具現化した形容詞を対応する感性ワードに変換し、第３の記憶手段３３から前記感性ワードに影響度の高いアイテム毎のカテゴリーと影響度の情報を出力する。
【００５０】
次に、演算手段４２により、感性ワード変換手段４１が出力したアイテム毎のカテゴリーの影響度と、入力手段７により入力された感性ワード優先度を用いて各アイテムのカテゴリー毎のデザイン候補優先度を演算する。ここで、演算手段４２は、第５の記憶手段３５の情報により、所定のアイテムについては、感性ワード変換手段４１が出力したアイテム毎のカテゴリーの影響度に関わらず、入力手段７により入力されたサイズに応じて、所定カテゴリーを選択する。
【００５１】
さらに、画像処理手段１５により、デザイン候補優先度の高いアイテム毎のカテゴリーを組み合わせて具体的な冷蔵庫の画像に変換する。
【００５２】
これにより、データベースを基にして、感性や、イメージを表す言葉から冷蔵庫の具体的な形に変換することができるのに加えて、入力したサイズの条件における所望の感性にあったデザインが表示される。
【００５３】
また、ここでは、入力手段７により、使用者が感性、またはイメージを表す言葉に加えて、冷蔵庫のサイズを入力する仕様としたが、冷蔵庫の容量を入力する項目を追加し、第５の記憶手段に、冷蔵庫の容量とアイテム、及びカテゴリーとの対応を記憶させ、さらに、の演算手段４２は、第５の記憶手段３５の情報により、所定のアイテムについては、感性ワード変換手段４１が出力したアイテム毎のカテゴリーの影響度に関わらず、入力手段７により入力されたサイズに応じて、所定カテゴリーを選択することにより、データベースを基にして、感性や、イメージを表す言葉から冷蔵庫の具体的な形に変換することができるのに加えて、入力した容量の条件における所望の感性にあったデザインが表示される。
【００５４】
以上のように本実施の形態の冷蔵庫イメージ変換装置は、少なくとも使用者が感性、またはイメージを表す言葉に加えて、冷蔵庫のサイズを入力する入力手段７と、冷蔵庫サイズとアイテム、及びカテゴリーとの対応を記憶する第５の記憶手段を備え、演算手段４２は、第５の記憶手段３５の情報により、所定のアイテムについては、感性ワード変換手段４１が出力したアイテム毎のカテゴリーの影響度に関わらず、入力手段７により入力されたサイズに応じて、所定カテゴリーを選択することを特徴とした。
【００５５】
これにより、データベースを基にして、感性や、イメージを表す言葉から冷蔵庫の具体的な形に変換することができるのに加えて、入力したサイズの条件における所望の感性にあったデザインが表示される。
【００５６】
さらに、入力手段７により、少なくとも使用者が感性、またはイメージを表す言葉に加えて、冷蔵庫の容量を入力することを特徴とし、第５の記憶手段に、冷蔵庫の容量とアイテム、及びカテゴリーとの対応を記憶させ、さらに、演算手段４２は、第５の記憶手段３５の情報により、所定のアイテムについては感性ワード変換手段４１が出力したアイテム毎のカテゴリーの影響度に関わらず、入力手段７により入力されたサイズに応じて、所定のカテゴリーを選択することによりデータベースを基にして感性やイメージを表す言葉から冷蔵庫の具体的な形に変換することができるのに加えて、入力した容量の条件における所望の感性にあったデザインが表示される。
【００５７】
【発明の効果】
以上説明したように請求項１に記載の発明は、本発明の請求項１に記載の発明は、使用者が感性またはイメージを表す言葉とその言葉の優先度と外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段を備え、さらに、入力手段から入力された人間が持っている感性やイメージを具現化した形容詞を対応する感性ワードに変換し、第３の記憶手段から前記感性ワードに影響度の高いアイテム毎のカテゴリーと影響度を出力する感性ワード変換手段と、感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な画像に変換する画像処理手段とを備えたイメージ変換装置において、前記入力手段によりターゲットの世代を入力できることを特徴とし、第３の記憶手段に各世代における感性ワード毎の感性やイメージの影響度を数値化した情報を記憶させたことを特徴とし、さらに、感性ワード変換手段により、第３の記憶手段から前記感性ワードに影響度の高いアイテム毎のカテゴリーと影響度の情報を出力する際に、入力手段により入力された世代の情報を選択して出力するので、イメージにあったデザインを具体的な形で表示できる。
【００５８】
また、請求項２に記載の発明は、請求項１に記載の発明に加えて、前記入力手段により所定の販売国を入力することを特徴とし、第３の記憶手段に各国における感性ワード毎の感性やイメージの影響度を数値化した情報を記憶しておくことを特徴とし、さらに、感性ワード変換手段により、第３の記憶手段から前記感性ワードに影響度の高いアイテム毎のカテゴリーと影響度の情報を出力する際に、この影響度の情報は、入力手段により入力された国の情報を選択して出力するので、イメージにあったデザイン候補を表示することができる。
【００５９】
また、請求項３に記載の発明は、使用者が感性またはイメージを表す言葉とその言葉の優先度と冷蔵庫の外観を構成するデザイン要素毎に種類分けした情報を複数のアイテムとして記憶する第１の記憶手段と、前記アイテム毎に形状や色彩等を場合分けした情報を複数のカテゴリーとして記憶する第２の記憶手段と、前記それぞれのアイテムのカテゴリー毎から受ける感性やイメージの影響度を実験により調査し、感性ワード毎に数値化した情報を記憶する第３の記憶手段を備え、さらに、入力手段から入力された人間が持っている感性やイメージを具現化した形容詞を対応する感性ワードに変換し、第３の記憶手段から前記感性ワードに影響度の高いアイテム毎のカテゴリーと影響度を出力する感性ワード変換手段と、感性ワード変換手段が選択したアイテム毎のカテゴリーを影響度と感性ワードの優先度から入力した感性により各アイテムのカテゴリー毎のデザイン候補優先度を演算する演算手段と、デザイン候補優先度の高いアイテム毎のカテゴリーを組み合わせて具体的な冷蔵庫の画像に変換する画像処理手段とを備えたものであり、使用者のニーズにあった冷蔵庫デザインを提供できる。
【００６０】
また、請求項５に記載の発明は、請求項３または４に記載の発明に、入力手段により、少なくとも使用者が感性やイメージを表す言葉に加えて冷蔵庫の容量を入力できることを特徴とし、第５の記憶手段に冷蔵庫の容量とアイテム及びカテゴリーとの対応を記憶させ、さらに、演算手段は、第５の記憶手段の情報により、所定のアイテムについては感性ワード変換手段が出力したアイテム毎のカテゴリーの影響度に関わらず、入力手段により入力されたサイズに応じて、所定のカテゴリーを選択するもので、デザイン選択の指針となる。
【００６１】
請求項６に記載の発明は、請求項１から５のいずれかを用いたイメージ変換方法であり、デザイナーでなくても使用者ニーズにあったデザインを画像で表すことができる。
【図面の簡単な説明】
【図１】本発明による冷蔵庫イメージ変換装置の実施の形態１のフロー図
【図２】本発明による冷蔵庫イメージ変換装置の実施の形態２のフロー図
【図３】従来のイメージ変換装置のフロー図
【符号の説明】
７    入力手段
１５  画像表示手段
１６  第１の記憶手段
１７  第２の記憶手段
１８  第３の記憶手段
４１  感性ワード変換手段
４２  演算手段
【図１】
2004295619.tif 000003
【図２】
2004295619.tif 000004
【図３】
2004295619.tif 000005